(57)【特許請求の範囲】
【請求項１】
アース線が接続されるアース端子を固定する第１アース端子固定部を複数有してなるアース集約部と、
上記アース線を中継するアース中継端子が固定される第２アース端子固定部とを備えており、
複数の上記第１アース端子固定部は、互いに隣接して配置されており、
上記アース集約部の少なくとも一部が、上記分電盤に打ち抜き可能な加工が施されてなるノックアウトに対して、上記分電盤の長手方向に並んで配置されており、
上記複数の第１アース端子固定部のそれぞれは、自身の長手方向に延び、上記アース端子を挟持固定する挟持片を２つ有しており、
上記２つの挟持片を第１挟持片および第２挟持片とする場合、
上記第１挟持片が、上記第２挟持片より薄く、
上記複数の第１アース端子固定部の１つの上記第１挟持片は、当該第１挟持片に沿って配置された、当該複数の第１アース端子固定部の１つと隣接する別の第１アース端子固定部によって支持されることを特徴とする分電盤。
【請求項２】
上記アース集約部の少なくとも一部が、上記ノックアウトに対して、上記分電盤の長手方向に配置されていることを特徴とする請求項１に記載の分電盤。
【請求項３】
上記複数の第１アース端子固定部は、上記分電盤の長手方向に互いに隣接することを特徴とする請求項１または２に記載の分電盤。
【請求項４】
上記複数の第１アース端子固定部は、上記複数の第１アース端子固定部のいずれかの長手方向と上記分電盤の短手方向とが一致するように配置されていることを特徴とする請求項３に記載の分電盤。
【請求項５】
上記分電盤の内部の平面視において、上記アース集約部の少なくとも一部が、上記第２アース端子固定部に対して、上記分電盤の上方に配置されていることを特徴とする請求項１から４のいずれか１項に記載の分電盤。
【発明の詳細な説明】
【技術分野】
【０００１】
本発明は、配電機器を収容する分電盤に関するものである。
【背景技術】
【０００２】
配電機器を収容する分電盤の開発が進められており、その一例が特許文献１に開示されている。特許文献１に開示されている分電盤には、アース線が接続される速結アース端子を基台に固定するための端子ホルダーが複数設けられている。これら複数の端子ホルダーは、基台の側壁部に沿って点在している。
【先行技術文献】
【特許文献】
【０００３】
【特許文献１】特開２００１−３３９８１８号公報（２００１年１２月７日公開）
【発明の概要】
【発明が解決しようとする課題】
【０００４】
しかしながら、特許文献１に開示されている分電盤においては、複数の端子ホルダーが基台の側壁部に沿って点在しているため、この側壁部近傍に大きなスペースが必要となり、このスペースが分電盤の小型化の妨げとなっていた。
【０００５】
本発明は、上記の課題に鑑みて為されたものであり、その目的は、小型化が可能な分電盤を提供することにある。
【課題を解決するための手段】
【０００６】
上記の課題を解決するために、本発明の分電盤は、アース線が接続されるアース端子を固定する第１アース端子固定部を複数有してなるアース集約部を備えており、複数の上記第１アース端子固定部は、互いに隣接して配置されていることを特徴としている。
【０００７】
上記の構成によれば、複数の第１アース端子固定部を集約することにより、分電盤においてアース端子を固定するためのスペースを小さくすることができる。従って、分電盤の小型化が可能となる。
【０００８】
また、本発明の分電盤は、上記アース集約部の少なくとも一部が、上記分電盤に打ち抜き可能な加工が施されてなるノックアウトに対して、上記分電盤の長手方向に配置されていることが好ましい。
【０００９】
上記の構成によれば、分電盤の短手方向において、ノックアウトの外側に上記のスペースを形成する必要がなくなる、もしくは、このスペースを十分小さくすることができるので、分電盤の小型化が可能となる。
【００１０】
また、本発明の分電盤の、上記複数の第１アース端子固定部は、上記分電盤の長手方向に互いに隣接することが好ましい。
【００１１】
上記の構成によれば、分電盤の短手方向において、アース集約部が短くなるので、分電盤の小型化が可能となる。
【００１２】
また、本発明の分電盤の、上記複数の第１アース端子固定部は、上記複数の第１アース端子固定部のいずれかの長手方向と上記分電盤の短手方向とが一致するように配置されていることが好ましい。
【００１３】
上記の構成によれば、アース集約部を正方形に近い形に配置することができるので、アース集約部を容易にコンパクトにすることができ、分電盤の小型化が可能となる。
【００１４】
また、本発明の分電盤は、上記アース線を中継するアース中継端子が固定される第２アース端子固定部をさらに備えており、上記分電盤の内部の平面視において、上記アース集約部の少なくとも一部が、上記第２アース端子固定部に対して、上記分電盤の上方に配置されていることが好ましい。
【００１５】
上記の構成によれば、第２アース端子固定部にアース中継端子を固定する際に、アース集約部が邪魔にならないので、第２アース端子固定部にアース中継端子を固定することが簡単となる。
【００１６】
また、本発明の分電盤の、上記複数の第１アース端子固定部のそれぞれは、自身の長手方向に延び、上記アース端子を挟持固定する挟持片を２つ有しており、上記２つの挟持片を第１挟持片および第２挟持片とする場合、上記第１挟持片が、上記第２挟持片より薄いことが好ましい。
【００１７】
上記の構成によれば、第２挟持片と比較して第１挟持片を撓みやすくすることができる。このとき、第１挟持片そのものの強度自体は、第２挟持片そのものの強度と比較して小さくなるが、第１挟持片を、第１挟持片に沿って配置された別の第１アース端子固定部等によって支持することにより、アース端子の固定に十分な強度を容易に保つことができる。
【発明の効果】
【００１８】
本発明の分電盤は、分電盤の小型化が可能となる。
【図面の簡単な説明】
【００１９】
【図１】本発明の実施の形態１に係る分電盤内部の概略構成を示す平面図である。
【図２】図１に示す第１アース端子固定部に固定されたアース端子に、アース線を接続した状態を示す平面図である。
【図３】図１に示す第１アース端子固定部の、分電盤の長手方向の断面図である。
【図４】図１に示す第１アース端子固定部の、分電盤の短手方向の断面図である。
【図５】本発明の実施の形態２に係る分電盤内部の概略構成を示す平面図である。
【発明を実施するための形態】
【００２０】
本発明を実施するための形態について、図１〜図５を参照して説明する。なお、以下、説明の便宜上、先に説明した部材と同じ機能を有する部材については、同じ符号を付記し、その説明を省略する。
【００２１】
〔実施の形態１〕
図１は、本実施の形態に係る分電盤５０内部の概略構成を示す平面図である。すなわち、分電盤５０内部の構成を明確に図示するために、図１では、分電盤５０内部の各種部材を覆うカバーの図示を省略している。また、図１において、分電盤５０の上方および下方は、それぞれ、図１の上方および下方と対応している。
【００２２】
図１に示す分電盤５０は、端子台１、母線群２、内器ユニット３、２Ｐアース端子固定箇所（第２アース端子固定部）４、汎用アース端子固定箇所（第１アース端子固定部）５、ならびにノックアウト６および７を備えている。また、内器ユニット３は、分電盤５０の長手方向に並べられた複数の分岐開閉器３ａを有している。
【００２３】
端子台１は、分電盤５０外部に設けられた単相三線式の電源と、各分岐開閉器３ａとを接続するための中継端子として設けられている。端子台１は、該電源から延びる図示しない入線側配線（配線）と接続されている。
【００２４】
母線群２は、それぞれ電圧端子となるＬ１相の母線およびＬ２相の母線と、中性相となるＮ相の母線との３つの母線の総称である。各母線の一端は、端子台１と接続されている。
【００２５】
内器ユニット３は、配電機器として機能する分岐開閉器３ａを複数備えている。各分岐開閉器３ａは、母線群２を構成する各母線の他端と接続されていると共に、各々対応する図示しない負荷機器と接続されている。この負荷機器の一例として、遊技台が挙げられる。各分岐開閉器３ａは、自身の開状態および閉状態に応じて、自身に接続された各母線と負荷機器との導通および非導通を切り替えることができる。
【００２６】
２Ｐアース端子固定箇所４および汎用アース端子固定箇所５には、アース端子が取り付けられる。ノックアウト６および７はいずれも、分電盤５０外部から分電盤５０内部に配線を通すための配線口を容易に形成することができるように、分電盤５０に打ち抜き可能な加工が施されてなるものである。
【００２７】
図２は、汎用アース端子固定箇所５に固定された市販のアース端子８に、アース線９を接続した状態を示す平面図である。アース線９は、分電盤５０外部から、ノックアウト７を打ち抜いて形成された配線口１０を通って分電盤５０内部に導かれ、アース端子８と接続される。
【００２８】
具体的に、２Ｐアース端子固定箇所４には、２Ｐアース端子が取り付けられる。本願明細書において、２Ｐアース端子とは、接続端子が２箇所に設けられたアース中継端子を意味する。２Ｐアース端子は、２箇所の接続端子の各々にアース線９が接続され、これにより、２つのアース線９の中継端子として機能する。
【００２９】
また、汎用アース端子固定箇所５には例えば、上述したとおり、アース端子８が取り付けられる。アース端子８を２つ取り付けられるように、分電盤５０は、汎用アース端子固定箇所５を２つ備えている。アース集約部１１は、これら２つの汎用アース端子固定箇所５の総称である。
【００３０】
そして、アース集約部１１を構成する２つの汎用アース端子固定箇所５は、互いに隣接して配置されている。このように、２つの汎用アース端子固定箇所５を集約することにより、分電盤５０においてアース端子８を固定するためのスペースを小さくすることができる。従って、分電盤５０の小型化が可能となる。
【００３１】
また、分電盤５０では、アース集約部１１の少なくとも一部が、ノックアウト７に対して、分電盤５０の長手方向に配置されている。具体的に、分電盤５０では、各汎用アース端子固定箇所５の下方が、ノックアウト７に対して、分電盤５０の長手方向に配置されている。これにより、分電盤５０の短手方向において、ノックアウト７の外側に上記のスペースを形成する必要がなくなる、もしくは、このスペースを十分小さくすることができるので、分電盤５０の小型化が可能となる。
【００３２】
また、分電盤５０では、アース集約部１１の少なくとも一部が、内器ユニット３に対して、分電盤５０の長手方向に配置されている。具体的に、分電盤５０では、各汎用アース端子固定箇所５の上方が、内器ユニット３に対して、分電盤５０の長手方向に配置されている。これにより、分電盤５０の短手方向において、内器ユニット３の外側に上記のスペースを形成する必要がなくなる、もしくは、このスペースを十分小さくすることができるので、分電盤５０の小型化が可能となる。
【００３３】
また、２つの汎用アース端子固定箇所５は、分電盤５０の長手方向に互いに隣接する。これにより、分電盤５０の短手方向において、アース集約部１１が短くなるので、分電盤５０の小型化が可能となる。
【００３４】
より具体的に、分電盤５０において、２つの汎用アース端子固定箇所５は、これらの長手方向と分電盤５０の短手方向とが一致するように配置されていると共に、互いの長手方向が隣接するように配置されている。これにより、アース集約部１１を正方形に近い形に配置することができるので、アース集約部１１を容易にコンパクトにすることができ、分電盤５０の小型化が可能となる。
【００３５】
また、分電盤５０内部の平面視において（すなわち、図１および図２を見て）、アース集約部１１の少なくとも一部が、２Ｐアース端子固定箇所４に対して、分電盤５０の上方に配置されている。具体的に、分電盤５０内部の平面視において、左側の汎用アース端子固定箇所５の左側が、２Ｐアース端子固定箇所４に対して、分電盤５０の上方に配置されている。
【００３６】
これにより、２Ｐアース端子固定箇所４に２Ｐアース端子を固定する際に、アース集約部１１が邪魔にならないので、２Ｐアース端子固定箇所４に２Ｐアース端子を固定することが簡単となる。
【００３７】
図３は、汎用アース端子固定箇所５の、分電盤５０の長手方向の断面図である。図３は、汎用アース端子固定箇所５の短手方向の断面図であるとも言える。図３では、図中左側の汎用アース端子固定箇所５を汎用アース端子固定箇所１２とし、図中右側の汎用アース端子固定箇所５を汎用アース端子固定箇所１３とする。
【００３８】
汎用アース端子固定箇所１２は、その底部に導体１４を有している。そして、汎用アース端子固定箇所１２にアース端子８が固定されると、このアース端子８に挿入されたアース線９（図２参照）と、導体１４とが接続されるように、汎用アース端子固定箇所１２が構成されている。
【００３９】
また、汎用アース端子固定箇所１２は、汎用アース端子固定箇所１２の長手方向に延びる、第１挟持片１５および第２挟持片１６を有している。第１挟持片１５は、汎用アース端子固定箇所１２と隣接する汎用アース端子固定箇所１３に沿って配置されている。第２挟持片１６は、汎用アース端子固定箇所１２における第１挟持片１５と反対側、換言すれば、汎用アース端子固定箇所１２における汎用アース端子固定箇所１３と反対側に配置されている。汎用アース端子固定箇所１２において、アース端子８は、第１挟持片１５および第２挟持片１６によって挟持固定される。
【００４０】
ここで、図３に示す断面において、第１挟持片１５は第２挟持片１６より薄い。これにより、第２挟持片１６と比較して第１挟持片１５を撓みやすくすることができる。このとき、第１挟持片１５そのものの強度自体は、第２挟持片１６そのものの強度と比較して小さくなるが、第１挟持片１５は、第１挟持片１５に沿って配置された汎用アース端子固定箇所１３によって支持されることとなるため、アース端子８の固定に十分な強度を容易に保つことができる。なお、第１挟持片１５を撓みやすくすることは、第１挟持片１５と第２挟持片１６とによりアース端子８を挟持することを容易とするため、都合が良い。
【００４１】
また、汎用アース端子固定箇所１２は、第１挟持片１５の頂部に爪１７を有しており、第２挟持片１６の頂部に爪１８を有している。爪１７は第２挟持片１６に向かって突出しており、爪１８は第１挟持片１５に向かって突出している。
【００４２】
第１挟持片１５および第２挟持片１６によってアース端子８が挟持固定されているとき、爪１７および１８はいずれも、このアース端子８の上方に位置する。これにより、爪１７および１８は、汎用アース端子固定箇所１２からアース端子８が外れてしまうことを防止する。
【００４３】
図４は、汎用アース端子固定箇所５の、分電盤５０の短手方向の断面図である。具体的に、図４には、図３の汎用アース端子固定箇所１２、および２Ｐアース端子固定箇所４を含む断面を示している。図４を見ても、この汎用アース端子固定箇所１２は、２Ｐアース端子固定箇所４に対して、分電盤５０の上方に配置されていることが明らかである。
【００４４】
なお、ここまでは、汎用アース端子固定箇所１２の構成について、詳細に説明を行った。一方、汎用アース端子固定箇所１３についても、汎用アース端子固定箇所１２と同様の構成を有している。
【００４５】
〔実施の形態２〕
図５は、本実施の形態に係る分電盤１００内部の概略構成を示す平面図である。すなわち、分電盤１００内部の構成を明確に図示するために、図５では、分電盤１００内部の各種部材を覆うカバーの図示を省略している。また、図５において、分電盤１００の上方および下方は、それぞれ、図５の上方および下方と対応している。
【００４６】
図５に示す分電盤１００は、分電盤５０（図１および図２参照）の変形例である。分電盤１００の構成は、アース集約部１１の配置が異なる点が分電盤５０の構成と異なっており、その他は分電盤５０の構成と同様である。
【００４７】
すなわち、分電盤１００では、アース集約部１１の少なくとも一部が、内器ユニット３に対して、分電盤１００の短手方向に配置されている。具体的に、分電盤１００では、左側の汎用アース端子固定箇所５の左側が、内器ユニット３に対して、分電盤１００の短手方向に配置されている。これにより、分電盤１００の長手方向において、内器ユニット３の外側に上記のスペースを形成する必要がなくなる、もしくは、このスペースを十分小さくすることができるので、分電盤１００の小型化が可能となる。
【００４８】
また、分電盤５０と同じく、２つの汎用アース端子固定箇所５は、分電盤１００の長手方向に互いに隣接する。但し、分電盤１００において、２つの汎用アース端子固定箇所５は、これらの長手方向と分電盤１００の長手方向とが一致するように配置されていると共に、互いの短手方向が隣接するように配置されている。
【００４９】
また、分電盤１００の内部の平面視において（図５を見て）、アース集約部１１が、２Ｐアース端子固定箇所４に対して、分電盤１００の下方に配置されている。
【００５０】
なお、以上の説明では、分電盤５０および１００が、汎用アース端子固定箇所５を２つ備えているものとして説明を行った。一方、分電盤５０および１００が、３つ以上の汎用アース端子固定箇所５を備えていてもよい。
【００５１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５２】
本発明は、配電機器を収容する分電盤に利用することができる。特に、本発明は、島と称されるグループに配置された複数の遊技台に対して電力を供給する分電盤（いわゆる、島盤）に対して好適に利用することができる。
【符号の説明】
【００５３】
４  ２Ｐアース端子固定箇所（第２アース端子固定部）
５、１２、および１３  汎用アース端子固定箇所（第１アース端子固定部）
７  ノックアウト
８  アース端子
９  アース線
１１  アース集約部
１５  第１挟持片
１６  第２挟持片
５０および１００  分電盤
【図１】
0006617866.tif 000002
【図２】
0006617866.tif 000003
【図３】
0006617866.tif 000004
【図４】
0006617866.tif 000005
【図５】
0006617866.tif 000006